(57)【要約】  本発明は、シンクと、このシンクの上に延びる手乾燥機とを組み込んだ構成に関する。手乾燥機は、エアナイフを用いてユーザの手から機械的に水分を一掃するタイプのものである。手乾燥機は、２つの細長いエアナイフ放出口を含み、各放出口は、ユーザの手の上に向けてそれぞれのエアナイフを前方に放出し、エアナイフ放出口は、シンクの手洗鉢の上に横並びに配置される。各エアナイフ放出口は、エアナイフ放出口の内側端部がエアナイフ放出口の外側端部の前方にくるように角度を成して後退する手乾燥機部分に沿って延びる。【選択図】なし
2015523128.tif 000002
【特許請求の範囲】
【請求項１】
シンクと、該シンクの上に延びる手乾燥機とを含む構成であって、前記手乾燥機は、エアナイフを用いてユーザの手から機械的に水分を一掃するタイプのものであり、前記手乾燥機は、２つの細長いエアナイフ放出口を含み、各放出口は、前記ユーザの手の上に向けてそれぞれのエアナイフを前方に放出し、前記エアナイフ放出口は、前記シンクの手洗鉢の上に横並びに配置され、各エアナイフ放出口は、該エアナイフ放出口の内側端部が該エアナイフ放出口の外側端部の前方にくるように角度を成して構成される、
ことを特徴とする構成。
【請求項２】
前記放出口は、各エアナイフ放出口の前記内側端部が該エアナイフ放出口の前記外側端部の上方にくるように下反角を成してさらに下向きに延びる、
ことを特徴とする請求項１に記載の構成。
【請求項３】
各エアナイフ放出口は、細長い放出アパーチャ又は細長い一筋の放出アパーチャを含む、
ことを特徴とする請求項１又は請求項２に記載の構成。
【請求項４】
各エアナイフ放出口は、１つの細長い空気スロット又は複数の細長い空気スロットを含む、
ことを特徴とする請求項３に記載の構成。
【請求項５】
前記（単複の）スロットの幅は２ｍｍ未満である、
ことを特徴とする請求項４に記載の構成。
【請求項６】
前記細長いエアナイフ放出口の長さは、少なくとも８０ｍｍである、
ことを特徴とする請求項１から請求項５のいずれかに記載の構成。
【請求項７】
前記構成は、前記シンクの上に延びて洗浄用の水を送出する水栓をさらに含む、
ことを特徴とする請求項１から請求項６のいずれかに記載の構成。
【請求項８】
前記水栓は、前記２つのエアナイフ放出口の中間に位置する送水ノズルを有する、
ことを特徴とする請求項７に記載の構成。
【請求項９】
前記送水ノズル及び前記エアナイフ放出口は、前記シンクの前記手洗鉢に隣接して固定できる単一の設備上に設けられ、前記送水ノズル及びエアナイフ放出口の各々は、前記設備の突出部分上に設けられる、
ことを特徴とする請求項８に記載の構成。
【請求項１０】
前記送水ノズル及び前記エアナイフ放出口は、前記設備の吐出口の形の共通する突出部分上に設けられる、
ことを特徴とする請求項８に記載の構成。
【請求項１１】
前記送水ノズルは、前記吐出口を通じて上水道に接続される、
ことを特徴とする請求項１０に記載の構成。
【請求項１２】
前記エアナイフ放出口は、前記吐出口を通じて空気源に接続される、
ことを特徴とする請求項１０又は請求項１１に記載の構成。
【請求項１３】
前記エアナイフ放出口は、前記吐出口の内部の主要給気ダクトから分岐する分岐ダクト上に設けられ、各エアナイフ放出口は、前記それぞれの分岐ダクトの側壁に沿って延びる、
ことを特徴とする請求項１２に記載の構成。
【請求項１４】
前記分岐ダクトは、前記吐出口に対して前記角度で後退する、
ことを特徴とする請求項１３に記載の構成。
【発明の詳細な説明】
【技術分野】
【０００１】
本発明は、一般に手乾燥の分野に関し、具体的には、エアナイフを用いて手を乾燥させる構成に関する。
【背景技術】
【０００２】
商業用トイレでは、洗浄のための１又はそれ以上のシンク又は手洗器と、その後にユーザが自分の手を乾燥させるために使用することができる１又はそれ以上の別個の壁取り付け式の手乾燥機を設けることが一般的である。
【０００３】
市場には、「温風式」手乾燥機、「高速」手乾燥機及び「エアナイフ式」手乾燥機という３つの異なるタイプの手乾燥機がある。
【０００４】
温風式手乾燥機は、非常によく知られている。これらの手乾燥機は、空気を加熱して手の表面の蒸発乾燥作用を促すことに依拠する、常に低流量、低速の機械である。例としては、Ｗｏｒｌｄ  Ｄｒｙｅｒ社によって製造販売されているＭｏｄｅｌ  Ａシリーズの手乾燥機が挙げられる。典型的には、単一のノズルを通じて加熱空気流が放出され、乾燥作用は「手を交互に動かす」作用であり、ユーザは、蒸発乾燥効果を促すためにノズルの下で手を擦り合わせる必要がある。
【０００５】
高速手乾燥機は、名前が示す通り高速空気流（＞８０ｍ／ｓ）を用いて手の表面に運動量乾燥効果をもたらす。例としては、Ｅｘｃｅｌ  Ｄｒｙｅｒ社によって製造販売されているＸｌｅｒａｔｏｒ（登録商標）手乾燥機が挙げられる。この場合も、典型的には単一の比較的大型のノズルを通じて空気流が放出され、使用モードは温風式乾燥機の「手を交互に動かす」作用に若干類似しており、ノズルの下に両手を保持し、又はカップの形にして乾燥させる。しかしながら、手の表面上の大半の水分は、蒸発する代わりに高運動量の空気流によって手から追い出され、又は吹き飛ばされ、蒸発による水分除去の割合はほんのわずかである。空気流はほとんど加熱されない傾向にあるが、場合によってはモータからの廃熱を用いてある程度空気流を加熱することもできる。
【０００６】
第３の一般的なタイプの手乾燥機はエアナイフ式手乾燥機であり、その例としては、Ｄｙｓｏｎ（ダイソン）（英国）社製のＤｙｓｏｎ  Ａｉｒｂｌａｄｅシリーズの手乾燥機、及び三菱電機製のジェットタオル手乾燥機が挙げられる。
【０００７】
これらの手乾燥機は、事実上は移動する空気のシート又はカーテンであるエアナイフを用いてユーザの手から水分を除去する。操作モードは、製品の表面からデブリ又は液体を除去するための、業界内のこれまでのエアナイフの使用に類似しており（例えば、欧州特許第２３９４１２３号を参照：エアナイフを用いてガラスシートからデブリを除去することが記載されている）、エアナイフが手の表面を横切って移動し、この移動時に手の表面から水分を一掃し又はこすり取る。
【０００８】
ダイソンエアブレード及び三菱ジェットタオルでは、いずれも２つの対向する固定されたエアナイフをユーザの手の片側に１つずつ使用している。これらのエアナイフ間に手を挿入した後に、手とエアナイフの間に必要な相対運動をもたらすようにゆっくりと引き抜く。
【０００９】
図１に示すダイソンの構成では、各々が幅１ｍｍ未満の狭い連続スロット（図１では後部スロットしか見えない）を通じてエアナイフが放出される。図２に示す三菱の構成では、対向する一列の個々の放出アパーチャ（図２では後列ｂしか見えない）を通じてエアナイフが放出され、ここで個々のジェットが組み合わさって放出アパーチャの下流にエアナイフを形成する。いずれの場合にも、エアナイフは、手の表面全体に効率的な拭き取り作用をもたらすように高速（＞８０ｍ／ｓ）で放出される。
【先行技術文献】
【特許文献】
【００１０】
【特許文献１】欧州特許第２３９４１２３号明細書
【発明の概要】
【発明が解決しようとする課題】
【００１１】
本発明は、エアナイフ式手乾燥機に関する。
【課題を解決するための手段】
【００１２】
本発明によれば、シンクと、このシンクの上に延びる手乾燥機とを含む構成が提供され、手乾燥機は、エアナイフを用いてユーザの手から機械的に水分を一掃するタイプのものであり、手乾燥機は、２つの細長いエアナイフ放出口を含み、各放出口は、空気源に接続されるとともに、ユーザの手の上に向けてそれぞれのエアナイフを前方に放出し、エアナイフ放出口は、シンクの手洗鉢の上に横並びに配置され、各エアナイフ放出口は、各エアナイフ放出口の内側端部がエアナイフ放出口の外側端部の前方にくるように角度を成して構成された手乾燥機部分に沿って延びる。
【００１３】
エアナイフ式乾燥機で確認される問題の１つは、廃水の処理管理についての問題である。エアナイフ式乾燥メカニズムの性質上、水分除去は蒸発によるものでなく、代わりに比較的高い運動量の空気流によって手から水分を追い出すものであるため、このことはエアナイフ式乾燥機にとって特に問題である。上述した従来のエアナイフ式乾燥機の構成では、手から除去された廃水を雫受けに集めることができるが、この雫受けは定期的に空にしなければならず、さもなければ廃水が全く集められず、乾燥機の表面又はその周囲から単純に蒸発するしかなくなる。どちらの機構も特に衛生的ではない。
【００１４】
本発明は、シンク用の設備上にエアナイフ式乾燥機を組み込んで、手から追い出された水がシンクの手洗鉢の標準的な排水孔を通じて単純に本管に流出できるようにすることにより、既存の本管排水システムを有利に利用して廃水をより効果的に管理するものである。
【００１５】
この手乾燥機は、両面乾燥作用に依拠せず、手の両側を同時に乾燥させるために対向するノズルを使用しない。代わりに、ユーザの両手の片側を同時に乾燥させるように、エアナイフ放出口を横並びに配置する。このことは、従来の両面手乾燥機において対向するノズルを使用するとサイズ制限が課され、例えば、対向するノズル間に手を入れられるように十分な間隙を設けなければならないので有利である。このサイズ制限を排除することにより、洗い物などの他の作業を行うためのシンクの使用を過度に妨げないように、手乾燥機をよりコンパクトにすることができる。
【００１６】
同時に、本発明の乾燥機は、エアナイフ動作を用いてユーザの個々の手を別々に有利に乾燥させる。通常の使用時には、ユーザは、最初に手のひらをノズル部分に向け、次に手を裏返した後に手の甲をノズル部分に向けてエアナイフ放出口の前に縦方向に自分の手を「入れ込む」（又はこの逆でもよい）。通常の使用時には、いくつかの従来の乾燥機で用いられる「手を交互に動かす」乾燥法のスタイルで手を擦り合わせる必要はなく、実際に、２つのエアナイフ放出口を設けることによってこの動作は積極的に薦められない。
【００１７】
各エアナイフ放出口は、エアナイフ放出口の内側端部がエアナイフ放出口の外側端部の前方にくるように角度を成して後退する手乾燥機部分に沿って延びる。この「Ｖ字形」構成は、ユーザにとって乾燥機を使用するという動作を快適なものにするにも関わらず、エアナイフの乾燥性能を最適化するために重要な、ユーザがエアナイフ放出口の直近に自分の手を保持するということも可能にする。
【００１８】
手乾燥機の後退部分は、各エアナイフ放出口の内側端部がエアナイフ放出口の外側端部の上方にくるように、下反角を成してさらに下向きに延びることができる。この構成は、使用時にユーザにとってさらなる快適性をもたらすことが分かっている。
【００１９】
使用にとって特に快適であると分かっている構成では、後退角が１５〜２５°であり、下反角が１０〜２０°である。好ましい組み合わせは、２１〜２４°の後退角と１３〜１５°の下反角である。
【００２０】
各エアナイフ放出口は、細長い放出アパーチャ又は細長い一筋の放出アパーチャを含むことができる。例えば、各エアナイフ放出口は、１つの細長い空気スロット又は複数の細長い空気スロットの形をとることができる。或いは、細長い一筋の丸い空気孔を使用することもできる。スロット、すなわち空気孔は、層状の十分に定められたエアナイフを最小限のウインドシアで提供するように、２ｍｍ未満の幅とすることができる。
【００２１】
各細長いエアナイフ放出口の長さは、８０ｍｍよりも長いことが好ましい。これにより、典型的なユーザの手の幅にわたる良好な動作距離がもたらされる。
【００２２】
本発明の別の態様によれば、この構成は、シンクの上に延びて洗浄用の水を送出する水栓をさらに含む。従って、この構成は、手の洗浄及び乾燥の両方を行うための単一のステーションを提供し、ユーザは、シンクと、トイレ内のどこか他の場所に位置する別個の手乾燥機との間を移動する必要がない。
【００２３】
水栓は、２つのエアナイフ放出口の中間に位置する、上水道に接続された送水ノズルを有することができる。この構成はコンパクトであるとともに、水ノズルは、エアナイフ放出口の概念的分離を定めるように作用し、ユーザが手を握り合うのではなく離して乾かすように促すことによって正しい使用を促す。
【００２４】
特にコンパクトな構成では、送水ノズル及びエアナイフ放出口の全てが、シンクの手洗鉢に隣接して固定できる単一の設備上に設けられ、これらの送水ノズル及びエアナイフ放出口の各々は、シンクの手洗鉢上に延びる、設備の突出部分上に設けられる。この突出部分は、吐出口の形の共通する突出部分とすることができる。送水ノズルは、この吐出口を通じて上水道に接続することができる。
【００２５】
同様に、エアナイフ放出口も、この吐出口を通じて空気源に接続することができる。手乾燥機の後退部分は、吐出口内部の主要給気ダクトから分岐する分岐ダクトとすることができる。
【００２６】
以下、添付図面を参照しながら本発明の実施形態について説明する。
【図面の簡単な説明】
【００２７】
【図１】従来のエアナイフ式手乾燥機の簡略斜視図である。
【図２】従来のエアナイフ式手乾燥機の簡略斜視図である。
【図３】シンクと、シンクの手洗鉢に隣接して固定された設備とを含む、本発明による構成の斜視図である。
【図４】図３に示す構成の正面図である。
【図５】図４のＡ−Ａに沿った断面図である。
【図６】図３に示す構成の平面図である。
【図７】図３に示す設備の、手を乾燥させる設備の使用を示す正面図である。
【図８】本発明による別の構成の正面図である。
【図９】図８に対応する平面図である。
【図１０】エアナイフ放出口を別個の設備上に設けた、本発明による別の構成の平面図である。
【発明を実施するための形態】
【００２８】
図３〜図６に、シンク３と組み合わせた設備１を含む構成を示す。
【００２９】
シンク３自体は従来のものとすることができる。「ベルファストタイプ」のシンクを示しているが、他のタイプのシンクを使用することもできる。シンク３は、この例ではシンク３の手洗鉢３ｂの後壁の方に位置する標準的な排水孔３ａを有する。
【００３０】
設備１は、雄ネジ付きの固定用中空スタッド７と係合して設備１を適所に締め付けるシンク３の下部のロックナット５を用いてシンク３の手洗鉢３ｂに隣接して固定される（或いは、シンクの型によっては、設備１をシンク自体ではなくシンクに隣接して固定することもできる）。
【００３１】
設備１は、シンク３の手洗鉢３ｂに隣接して位置する垂直な管状幹部９と、幹部９からシンク３の手洗鉢３ｂの上に水平に突出する吐出口１１の形の突出部分とを含む管状構造を有する。設備１は、例えば従来の圧延処理した後で共に溶接した鋼管部分などの金属で形成される。
【００３２】
吐出口１１の端部には、下向きの水ノズル１３が設けられる。要求時には、主要供給ライン（図示せず）から幹部９及び吐出口１１内を延びる給水管１５を介し、水ノズル１３を通じて洗浄用の水が供給される。
【００３３】
設備１は、洗浄位置でユーザの手を検出したことに応答して供給ラインの停止弁を自動的に開く従来のセンサ及び制御ループを用いて「ハンズフリー」操作によって給水を行うように構成される。或いは、設備を手動操作によって給水を行うように構成することもできる。
【００３４】
本発明によれば、設備１は、エアナイフを用いてユーザの手から水分を機械的に一掃するタイプの手乾燥機を組み込む。使用時には、吐出口の左側のエアナイフ放出口１７を通じて放出される第１のエアナイフ１７ｃと、吐出口の右側のエアナイフ放出口１９を通じて放出される第２のエアナイフ１９ｃの２つのエアナイフが放出される。各エアナイフ放出口１７、１９は、吐出口１１から横方向に延びるそれぞれの管状分岐ダクト２１上で、幅が２ｍｍ未満の狭く細長いスロットの形をとる。
【００３５】
分岐ダクト２１は、吐出口１１及び幹部９内を延びる主要空気ダクト２３から分岐する。この空気ダクト２３は、固定用中空スタッド７を介して幹部９の内部に流体的に接続する可撓性ホース２７を介して電動式ファン２５の陽圧（出力）側に接続される（給水管１５が固定用スタッド７内で事実上給気ライン内を延びる場合、給水ラインに接続するために管１５を給気ラインの外部に配管するには十分な対策を行う必要がある）。
【００３６】
要求時には、ファン２５が、エアナイフ放出口１７、１９を通じて空気流を駆動してそれぞれのエアナイフを生成する。エアナイフ放出口１７、１９における流出空気速度は８０ｍ／ｓを超え、１５０ｍ／ｓを上回ることが好ましい。これにより、いずれの場合にも、効果的な手の乾燥のために十分に定められたエアナイフがもたらされる。
【００３７】
手乾燥機は、（上述した自動的に給水を作動させる洗浄位置とは区別可能とすべき）乾燥位置でユーザの手を検出したことに応答してファン２５のスイッチを自動的にオンにする従来のセンサ及び制御ループを用いて「ハンズフリー」操作を行うように構成される。或いは、手乾燥機を手動操作できるように構成することもできる。
【００３８】
ユーザは、手の乾燥動作を開始するために、自身の湿った左手の手のひらを開いて吐出口の左側のエアナイフ放出口１７の前に差し出し、同様に自身の湿った右手の手のひらを開いて吐出口１１の右側のエアナイフ放出口１９の前に差し出す。この結果、センサ及び制御ループがファン２５を作動させるように動作し、このファン２５が、放出アパーチャ１７、１９を通じて強制的に高圧で空気を送り出し、高運動量の空気流を前方のユーザの手の上に向ける。一度に乾燥されるのは手の片側であり、ユーザは、最初に手の甲をエアナイフ放出口に向けた状態でエアナイフ放出口の前で自分の手を上下に動かす（以下「標準通過」と呼ぶ）。この動作を図７に示す。次に、ユーザは、手を裏返した後、手のひらをエアナイフ放出口に向けた状態でエアナイフ放出口の前で自分の手を上下に動かす（以下「反転通過」と呼ぶ）。必要に応じて「標準通過」と「反転通過」を各々繰り返すこともでき、またこれらはいずれの順番で行ってもよい。
【００３９】
分岐ダクト２１は、エアナイフ放出口の内側端部１７ａ、１９ａが、エアナイフ放出口のそれぞれの外側端部１７ｂ、１９ｂの前方にくるように、図６に示す後退角θで後退する。これにより、ユーザがエアナイフ放出口に対して手のひらを直角に差し出すために手及び前腕を回外させなければならない度合いが減少するので、特に反転通過中におけるユーザの快適性が向上する。この場合、角度θは２２．５度である。好ましいθの範囲は１０〜５０度である。
【００４０】
分岐ダクトは、エアナイフ放出口１７、１９の内側端部１７ａ、１９ａが、エアナイフ放出口のそれぞれの外側端部１７ｂ、１９ｂの上方にくるように、図４に示す下反角ψで下向きにも延びる。これにより、使用時に人間工学的利点も与えられ、特に反転通過中におけるユーザの快適性を高める。この場合、角度ψは１４度である。好ましいψの範囲は５〜２５度である。
【００４１】
エアナイフ放出口を、下反角を成して下向きに延びるように構成することは、本発明の本質的要素ではない。図８及び図９に、分岐ダクト２１０が吐出口１１から水平に延びる、設備１０の「中立」構成を示している。それにもかかわらず、ここでも後退角θ（図９）が、上述したようにユーザ快適性を支援する。この場合、エアナイフ放出口１７０、１９０は、図２の三菱の構成のスロットに類似する単一の細長いスロットではなく、細長いそれぞれの列のより短いスロットの形をとる。
【００４２】
以上の構成では、水栓及び手乾燥機の両方の機能を組み込んだ単一の設備１、１０を設けていた。図１０に、シンク３の手洗鉢３ｂに隣接して固定された別個の設備１００ａ、１００ｂ上にエアナイフ放出口１７００、１９００を横並びに配置した構成を示す。設備１００ａ、１００ｂは、エアナイフ放出口１７００、１９００が直接横並びに位置しないように互いに離間する。この構成は、シンクの手洗鉢３ｂ内の排水孔の上方の中心に取り付けられた別個の従来の水栓２９に対応するためのものである。
【図１】
2015523128.tif 000003
【図２】
2015523128.tif 000004
【図３】
2015523128.tif 000005
【図４】
2015523128.tif 000006
【図５】
2015523128.tif 000007
【図６】
2015523128.tif 000008
【図７】
2015523128.tif 000009
【図８】
2015523128.tif 000010
【図９】
2015523128.tif 000011
【図１０】
2015523128.tif 000012
【国際調査報告】
2015523128.tif 000013
2015523128.tif 000014